(57)【要約】      （修正有）【課題】リントの捕集が良く行なわれ、かつリントフイルターの着脱が容易にできるドラム式洗濯機を提供する。【解決手段】本発明は、リントの捕集を改善するため洗濯、すすぎ及び脱水の各工程においてリントをドラム５の外側に排出し易くするため、脱水時に洗浄水を排出するための脱水穴１６の形状を丸穴から長穴形状にし、ドラム５回転時に生じる水流の方向に長穴にすることにより細長いリントが各工程で容易に脱水穴１６からドラム５の外側に排出され易くするようにすると共にリントの捕集作業改善のため、循環ポンプ８によりドラム５底部の洗浄水を汲み上げて本体上面部に設けたリントフイルタ１０ーによりリントの捕集を行った。【選択図】図１
2007282963.tif 000002
【特許請求の範囲】
【請求項１】
外枠内に設けられた外槽と、この外槽内に回転自在に設けられ、回転軸心線の方向が水平または傾斜する円筒形状の洗濯ドラムと、洗浄水に含まれるリントを捕集するリントフイルターと、前記洗浄水を前記リントフイルターと前記洗濯ドラムとに循環させる循環ポンプとを備えたドラム式洗濯機において、
前記洗濯ドラムの周囲に設ける複数の脱水穴は、回転方向に長形であることを特徴とするドラム式洗濯機。
【請求項２】
請求項１記載のドラム式洗濯機において、
前記外枠内の上側に設けられた前記リントフイルターに前記循環ポンプが吐出する前記洗浄水を導く循環用流路と、
前記リントフイルターで濾過された前記洗浄水を前記洗濯ドラムに戻す帰流路とを備えたことを特徴とするドラム式洗濯機。
【請求項３】
請求項１記載のドラム式洗濯機において、
洗濯物を洗う洗濯工程と、この洗濯工程の後に洗濯物を濯ぐすすぎ工程とを有し、
すすぎ工程の洗浄水量を洗濯工程の水量よりも多くしたことを特徴とするドラム式洗濯機。
【請求項４】
請求項３記載のドラム式洗濯機において、
前記すすぎ工程は複数回の工程を有し、最初の工程に洗浄水量の水量を多くすることを特徴とするドラム式洗濯機。
【請求項５】
外枠内に設けられた外槽と、この外槽内に回転自在に設けられ、回転軸心線の方向が傾斜する円筒形状の洗濯ドラムと、洗浄水に含まれるリントを捕集するリントフイルターと、前記洗浄水を前記リントフイルターと前記洗濯ドラムとに循環させる循環ポンプとを備えたドラム式洗濯機において、
前記洗濯ドラムの周囲に設ける複数の脱水穴を回転方向に長形し、前記洗濯ドラムの底部近傍は前記脱水穴の密度が他の部位よりも大であることを特徴とするドラム式洗濯機。
【発明の詳細な説明】
【技術分野】
【０００１】
本発明は、洗濯物から剥離するリントが良く捕集されるドラム式洗濯機に関するものである。
【背景技術】
【０００２】
ドラム式洗濯機のリント捕集は、特許文献１に示すようにドラム式洗濯機の底部からリントフイルターにより捕集され、排水弁をオンにすることにより排水ホースから洗浄水が排出される。
【０００３】
この方式では、洗浄水が少なく、脱水穴も円形であるため洗濯物から出るリントは洗浄水に遊離し難く、遊離しても細長いリントが脱水穴を通って外側に排出し難い。また、特許文献２ではドラムの内面にリントフイルターが付いているが、ドラム内面のためトップオープンのドラムにしか適用できなく用途が限定される。
【０００４】
【特許文献１】特開２００５−５８７７９公報
【特許文献２】特開２００４−２０８７１２公報
【発明の開示】
【発明が解決しようとする課題】
【０００５】
ドラム式洗濯機は少ない洗浄水を使用して洗濯を行うので、洗濯物に付着するリントが洗濯物から遊離し難い。このため、洗濯、すすぎ、脱水時の各工程を通してリントの捕集を改善する必要がある。また、リントの捕集が改善されることにより、リントフイルターのメンテナンス、すなわちリントフイルターの取り外し及び清掃が頻繁になるためこれらも合せて改善が必要となる。
【０００６】
本発明は上述した事情に鑑みてなされたものであり、リントの捕集が良く行なわれ、かつリントフイルターの着脱が容易にできるドラム式洗濯機を提供することを目的とする。
【課題を解決するための手段】
【０００７】
本発明は、リントの捕集を改善するため洗濯、すすぎ及び脱水の各工程においてリントを洗濯ドラムの外側に排出し易くするため、脱水時に洗浄水を排出するための脱水穴の形状を丸穴から長穴形状にした。
【０００８】
すなわち、洗濯ドラム回転時に生じる水流の方向に長穴にすることにより細長いリントが各工程で容易に脱水穴から洗濯ドラムの外側に排出され易くなる。またリントの捕集作業改善のため、循環ポンプにより洗濯ドラムの底部の洗浄水を汲み上げて外枠内の上側に設けたリントフイルターによりリントの捕集を行った。
【０００９】
また、リントフイルターは加圧側に設置することにより目詰まりが少なく大量にリントを捕集できるようにすると共に複数回あるすすぎ工程の最初で水位を増加させることにより、リントを洗濯物から遊離し易くさせ、洗濯ドラムの外側に排出し易くしたことを特徴とする。
【発明の効果】
【００１０】
本発明によれば、脱水穴が洗濯ドラムの回転方向に長穴形状のため、洗浄水の水流方向と同じになるので、細長いリントが脱水穴から排出し易くなりリントの捕集が改善される。また、リントフイルターの位置がドラム式洗濯機外枠の上側に位置するところにあるため身を屈めずにメンテナンス作業ができる。
【発明を実施するための最良の形態】
【００１１】
本発明の実施例について、図面を引用して説明する。
【００１２】
図１は本発明の実施例に係るもので、ドラム式洗濯機の縦断面図を示す。外枠１の正面にはヒンジ機構（図示せず）で左右に開閉できる扉２が備えられている。
【００１３】
扉２は外枠１と外槽３に固定されたゴム製のベローズ４により、洗濯ドラム５内の洗浄水をシールしている。外槽３の底部には洗浄水を排出するための排水弁６があり、その先には排水ホース７が接続されている。
【００１４】
また、底部には洗浄水を循環させるための循環ポンプ８が接続され、循環流路の循環用配管９を介して、外枠１の上側に設けたリントフイルター１０に接続されている。リントフイルター１０は、フイルターケース５０に収納される。
【００１５】
毎回洗濯する毎にリントフイルター１０に蓄積されるリントの量は増加する。リント捕集能力を改善するために、メンテナンスを短い期間で繰り返す。このため、メンテナンス回数が増加する。
【００１６】
リントフイルター１０が底部にある場合は見えずらく、作業の度に腰を屈める必要があるが、上側部に設けているため腰を屈めずに毎回リントフイルター１０を外して掃除をすることができる。
【００１７】
洗浄水はリントフイルター１０を通過した後に散水口１１から洗濯ドラム内に注水される。給水は給水口１２に接続された給水ホース（図示せず）から給水電磁弁１３をオンにすることによりリントフイルター１０を通さないで散水口１１から洗濯ドラム５内に注水される。
【００１８】
散水口１１は、洗浄水を洗濯ドラム５に戻す帰流路の帰流用配管５１の下端に設けられる。帰流用配管５１の上端は、フイルターケース５０内に連通するように接続され、下端の散水口１１は、外槽５の投入口側上部に連通するように接続される。
【００１９】
外槽３の底部には洗濯ドラム５の洗濯物１４によるアンバランス振動抑制のためのサスペンション１５が左右に一対になって取付けられている。なお、外槽３の上面部と外枠１のバネについては図示を省略している。
【００２０】
このドラム式洗濯機は、洗濯ドラム５の回転軸心線が斜めに配置されている。洗濯ドラム５内には、脱水時の洗浄水を排出するための脱水穴１６が複数個開けられている。
【００２１】
洗濯ドラム５が斜めに配置されるドラム式洗濯機は、洗濯ドラム５の底部側で洗浄水水位が高くなる。洗浄水水位が高くなる洗濯ドラム５の底部側に脱水穴１６の穴数密度を大きくすることにより、洗濯物１４からリントが遊離し易くなる。
【００２２】
洗濯物１４から遊離したリントは、洗濯ドラム５が回転することにより水流方向とリントの長さ方向及び脱水穴１６の長手方向が同じとなるので脱水穴１６からリントが排出し易くなる。
【００２３】
リントは洗濯ドラム５から容易に流出するので、リントフイルター１０に良く捕集される。洗濯物に付着するリントが少なくなり、洗濯の仕上がりが良くなる。
【００２４】
また、洗濯ドラム５は回転するので遠心力が作用し、応力は円周方向の引張り応力となる。脱水穴１６は回転方向（円周方向）に長く伸びた長穴になっているので、直角方向に比較して大幅に応力が低減される。
【００２５】
洗濯ドラム５内には洗濯物１４をかきあげるためのリフター１７が設けられている。また、洗濯ドラム５を回転駆動するためのモータ１８が外槽３に固定され、回転軸１９をシール（図示せず）してドラム５と直結されている。
【００２６】
図２は本発明の実施例に係るもので、ドラム式洗濯機の運転工程を示す。
【００２７】
この運転工程は洗濯物１４に付着した汚れを落としたり、すすぎで洗剤分をすすいだりリントを除去したりする。また洗濯物１４に含まれた洗浄水を洗濯ドラム５の回転により脱水穴１６から遠心力で脱水し、排水することを自動的に行う自動洗濯運転工程を示す。
【００２８】
最初に給水電磁弁１３がオンして給水２１が行なわれる。給水量約２０リットルまで給水がされる。給水量は通常２５リットル程度である。
【００２９】
洗剤ケースにセットされた洗剤は、給水の際に一緒に洗濯ドラム５の内に外側に流れ込み、洗濯ドラム５の回転で洗剤が溶解される。洗濯２２では洗濯に必要な洗浄水が供給されると、モータ１８が回転して洗濯ドラム５を回転させる。
【００３０】
この時の洗濯ドラム５の回転速度は毎分４０〜６０回転で洗濯ドラム５の外形が大きいほど回転数は低くなり、休止をおいて正逆回転を数分間行い、洗濯物１４がリフター１７によりかきあげられながら、叩き洗いにより洗濯される。
【００３１】
この時、循環ポンプ８は間欠又は連続運転される。間欠時における停止時は循環水量が無くなるので、循環用配管９の洗浄水が戻り若干水位が増加するのでリントが洗濯物１４から遊離する。遊離したリントはドラム５の回転により生ずる水流により脱水穴１６を通して洗濯ドラム５の外側に排出される。
【００３２】
この時、洗濯物１４には洗剤による泡で見かけの洗浄水が増加するので洗浄水だけのときよりリントが遊離し易くなるのでリントの捕集は改善される。さらに脱水穴１６の形状が丸穴のときは泡の表面張力が大きいので洗濯ドラム５の外に排出されないが、本発明に係わる実施例の長穴ではそれより小さくなるのでリント捕集が改善される。
【００３３】
洗濯２２が終了すると、洗濯物１４から流出した汚れを含む洗浄水を、排水弁６をオンして排水ホース７により機外に排水する排水２３に移行する。
【００３４】
排水２３が終了した後、洗濯物１４に含まれている洗剤分を脱水する脱水２４移行する。脱水２４では洗濯ドラム５を高速回転して、遠心力により洗濯ドラム５内に開けられた脱水穴１６を通して洗濯物１４に含まれた洗浄水を脱水する。
【００３５】
脱水２４が終了すると、洗濯物１４に含まれた洗剤分をすすぐ、すすぎ（１）２６へと移行する。この時、給水２５が行われるが給水水位は洗濯２２より高くしてすすぎ（１）２６が行われる。給水量は洗濯時に対して２０〜４０％程度増加させている。
【００３６】
これにより、洗濯物１４の表面に付着したリントを洗濯時より遊離させ易くし、脱水穴１６を通してドラム５の外に排出し、循環ポンプ８を通してリントフイルター１０でリントの捕集を行う。
【００３７】
このとき、できるだけ洗浄水位を上げた方が洗濯物１４に付着したリントを遊離し易くなるので循環ポンプ８を間欠運転又は停止している。すすぎ（１）２６が終了すると排水２７、脱水２８が行われ、給水２９が行われ、すすぎ（２）３０が行われる。
【００３８】
この時の給水量は洗濯時と同等あるいはすすぎ（１）時に増加した分、水量を低減した給水量としている。すすぎ（２）３０が終了すると排水３１、最終脱水３２が行われ洗濯の運転工程が終了する。
【００３９】
なお、リント捕集を確実にするには洗浄水量を多くする必要があるので専用工程を設け、標準工程と区別してもよい。
【００４０】
図３は本発明の実施例に係るもので、ドラム式洗濯機の回路ブロック図を示す。
【００４１】
電源３５はＡＣ１００Ｖ、５０／６０Ｈｚの商用電源でコンセント３６を介して電源スイッチ３７に接続されている。
【００４２】
電源スイッチ３７を投入すると通電された電源は電源のラインノイズや各部回路で発生するノイズをカットするフイルター回路３８を介在して、モータ１８の駆動電源である整流回路３９で倍電圧整流される。
【００４３】
整流回路３９にはインバータ回路４０電圧検知回路４１、電流検知回路４２及びモータ１８が接続されている。モータ１８には位置検出装置４３が接続されモータ１８の回転数制御を行っている。マイコン４４には各電気部品を駆動する駆動回路４５が接続され給水電磁弁１２、排水弁６、循環ポンプ８を制御している。
【００４４】
図４は従来例に係るもので、洗濯ドラム５に開けられた脱水穴１６の部分断面図を示す。
【００４５】
ドラムは厚さ０．２〜０．４ｍｍ程度のステンレスの板で構成されており、脱水穴１６としてφ３〜５ｍｍ程度の丸穴が開けられている。
【００４６】
穴は直接開けないで周囲を１〜２ｍｍ凹まして開けている。リントは細長い繊維のためφ３ｍｍの穴を通ってドラム５の外に容易に排出されずドラム５内に残留する。
【００４７】
図５は本発明の実施例に係るもので、ドラム５に開けられた脱水穴１６の部分断面図を示す。
【００４８】
脱水穴１６の幅は約３ｍｍで従来の脱水穴１６の径とほぼ同等にしている。しかしながら、異物がドラム５の外側に移動するとユーザでは対応できないので幅は狭い方がよいので１〜３ｍｍでできるだけ小さいほうがよい。
【００４９】
長さ方向は洗濯時異物として一般的多いコインの中で１番小さい一円玉のコインの径より小さくしているので、２０ｍｍよりは小さくし幅が１ｍｍなら長さは２０ｍｍ以上でもよい。穴は従来例と同様に直接開けないで周囲を１〜２ｍｍ凹まして開けている。
【００５０】
これは抜き型の寿命と脱水効率を上げるため行っている。段差がないと洗濯物が直接脱水穴を塞ぐため洗浄水が出にくい。また、抜き型の根元の断面積を大きく取れるため型強度を上げることができるので型寿命が増加する。
【００５１】
また、長手方向が円周方向となっているのでドラム５が回転する方向に洗浄水は移動し、リントは洗浄水の移動方向に伸びる。このため、丸穴では丸穴の径よりリントが長いため容易に穴からリントが排出されない。
【００５２】
これに対して、本発明の脱水穴１６はドラム５の回転方向に長穴となっているので水流方向に伸びたリントを容易にドラム５の外側に排出することができる。また、円周方向に長穴となっているので円周方向と直角方向に長穴となっているものに比較して穴にかかる応力は円周方向に働くので大幅に小さくなる。
【００５３】
なお、上記実施例はドラム式洗濯機であるが、本発明はドラム式洗濯乾燥機にも適用できる。
【図面の簡単な説明】
【００５４】
【図１】本発明の実施例に係るもので、ドラム式洗濯機の縦断面図を示す。
【図２】本発明の実施例に係るもので、ドラム式洗濯機の運転工程を示す。
【図３】本発明の実施例に係るもので、ドラム式洗濯機の回路ブロック図を示す。
【図４】従来例に係るもので、ドラム５に開けられた脱水穴１６の部分断面図を示す。
【図５】本発明の実施例に係るもので、ドラム５に開けられた脱水穴１６の部分断面図を示す。
【符号の説明】
【００５５】
１…外枠、３…外槽、５…ドラム、８…循環ポンプ、９…循環用配管、１０…リントフイルター、１１…散水口、１６…脱水穴、２２…洗濯、２６…すすぎ（１）、５１…帰流用配管。
【図１】
2007282963.tif 000003
【図２】
2007282963.tif 000004
【図３】
2007282963.tif 000005
【図４】
2007282963.tif 000006
【図５】
2007282963.tif 000007